(57)【要約】【課題】表示装置における処理負荷を軽減する。【解決手段】表示制御装置ＣＶのマイコン部５０において、コントローラＣｎから送信されたメッセージに含まれる優先度と表示制御装置ＣＶで表示中のウェブページに対応するイベントの内容に応じた優先度とを比較し、前者の優先度が後者の優先度より高い場合に前記ウェブページをコントローラＣｎから送信して液晶ディスプレイ５２ａに表示する。それぞれのイベントに対応したウェブページが各サブシステムＳＳｎのコントローラＣｎに保持されることで表示制御装置ＣＶにおける処理負荷が軽減できる。【選択図】図１
2007272863.tif 000002
【特許請求の範囲】
【請求項１】
住宅内に設置されて監視または制御の少なくとも一方が行われる１乃至複数の宅内機器と、当該宅内機器と伝送路を介して接続される１乃至複数の表示装置とを備え、
前記宅内機器は、監視または制御に関わる内容を含んだウェブページを前記伝送路を介して前記表示装置に提供するウェブサーバ機能を有し、
前記表示装置は、前記宅内機器との間でデータ通信を行う通信手段と、ウェブページを表示する表示手段と、前記通信手段を介して受信した前記ウェブページを前記表示手段に表示させるウェブブラウザ手段とを具備することを特徴とする住宅設備監視システム。
【請求項２】
前記宅内機器は、監視または制御に関わる何らかのイベントが発生した場合、当該イベントに対応するウェブページの保存場所を含むメッセージを前記表示装置に送信し、当該表示装置から送信される送信要求に応じて前記ウェブページを送信してなり、
前記表示装置は、前記メッセージに含まれる前記保存場所に対して前記通信手段を介して前記ウェブページの送信要求を送信することを特徴とする請求項１記載の住宅設備監視システム。
【請求項３】
前記宅内機器は、監視または制御に関わる何らかのイベントが発生した場合、当該イベントの内容に応じた優先度と、当該イベントに対応するウェブページの保存場所とを含むメッセージを前記表示装置に送信し、当該表示装置から送信される送信要求に応じて前記表示情報を送信してなり、
前記表示装置は、前記メッセージに含まれる優先度と前記表示手段で表示中のウェブページに対応するイベントの内容に応じた優先度とを比較するとともに前者の優先度が後者の優先度より高い場合に前記通信手段を介して前記ウェブページの保存場所に対して送信要求を送信する優先度判定手段を具備することを特徴とする請求項２記載の住宅設備監視システム。
【請求項４】
前記表示装置は、表示中のウェブページと異なるイベントに対応するメッセージが受信されたことを報知する報知手段を具備することを特徴とする請求項３記載の住宅設備監視システム。
【請求項５】
前記宅内機器は、監視または制御に関わる何らかのイベントの履歴情報を前記メッセージに含めて前記表示装置に送信してなり、
前記表示装置は、前記メッセージに含まれる履歴情報を前記表示手段に表示することを特徴とする請求項２〜４の何れか１項に記載の住宅設備監視システム。
【請求項６】
前記履歴情報は、イベントの発生日時並びにイベントの内容を含む複数の項目からなり、
前記表示装置は、個々の項目毎に前記履歴情報を並べ替えて表示手段に表示することを特徴とする請求項５記載の住宅設備監視システム。
【請求項７】
前記宅内機器は、監視または制御に関わる何らかのイベントの履歴情報を保存した保存場所を前記メッセージに含めて前記表示装置に送信してなり、
前記表示装置は、前記保存場所に保存されている前記履歴情報を各宅内機器から受信して前記表示手段に一覧表示することを特徴とする請求項２〜４の何れか１項に記載の住宅設備監視システム。
【請求項８】
前記宅内機器は、住宅設備の監視または制御の少なくとも何れか一方を行うコントローラであって、
当該コントローラは、自己の監視または制御の対象である住宅設備の監視若しくは制御に関わる内容を含んだウェブページを前記表示装置に送信してなることを特徴とする請求項１〜７の何れか１項に記載の住宅設備監視システム。
【発明の詳細な説明】
【技術分野】
【０００１】
本発明は、住宅内に設置された住宅設備、例えば、エアコンや照明器具あるいは種々のセキュリティ機器などの監視を行う住宅設備監視システムに関するものである。
【背景技術】
【０００２】
従来より、エアコンや照明器具あるいは種々のセキュリティ機器などの住宅設備の監視（あるいは、監視と制御）を行う住宅設備監視システムが提供されている（例えば、特許文献１参照）。そして、かかる住宅設備監視システムは、住宅設備の監視（あるいは、監視と制御）に関わる情報（例えば、エアコンや照明器具の動作状態、セキュリティ機器である火災感知器の動作状態など）を表示デバイス（ＣＲＴやＬＣＤ）に表示することで前記情報を認識し易くするものとして表示装置を備えている。
【０００３】
かかる表示装置においては、監視対象である住宅設備に何らかのイベント（例えば、火災感知器による火災発生検知など）が発生したとき、当該イベントに対する監視結果の情報（例えば、火災発生検知並びに火災発生の警報など）を受け取って画面に表示している。ここで、表示装置で表示する表示情報は、表示装置自体がメモリに記憶している。
【０００４】
そして、表示装置においては、任意の表示情報を表示している状況で何らかのイベントが発生したときに当該イベントの内容に応じた適切な表示情報への切換のルールが予め設定され、当該ルールに従って表示情報が切り換えられることでイベントの発生状況に応じた適切な表示情報が表示できるようになっていた。
【特許文献１】特開２００４−２９５４０８公報
【発明の開示】
【発明が解決しようとする課題】
【０００５】
しかしながら、上記従来システムでは前記表示情報を表示装置に記憶しているため、表示装置に大容量のメモリが必要となって処理負荷が大きいという問題があった。
【０００６】
本発明は上記事情に鑑みて為されたものであり、その目的は、表示装置における処理負荷が軽減できる住宅設備監視システムを提供することにある。
【課題を解決するための手段】
【０００７】
請求項１の発明は、上記目的を達成するために、住宅内に設置されて監視または制御の少なくとも一方が行われる１乃至複数の宅内機器と、当該宅内機器と伝送路を介して接続される１乃至複数の表示装置とを備え、前記宅内機器は、監視または制御に関わる内容を含んだウェブページを前記伝送路を介して前記表示装置に提供するウェブサーバ機能を有し、前記表示装置は、前記宅内機器との間でデータ通信を行う通信手段と、ウェブページを表示する表示手段と、前記通信手段を介して受信した前記ウェブページを前記表示手段に表示させるウェブブラウザ手段とを具備することを特徴とする。
【０００８】
請求項２の発明は、請求項１の発明において、前記宅内機器は、監視または制御に関わる何らかのイベントが発生した場合、当該イベントに対応するウェブページの保存場所を含むメッセージを前記表示装置に送信し、当該表示装置から送信される送信要求に応じて前記ウェブページを送信してなり、前記表示装置は、前記メッセージに含まれる前記保存場所に対して前記通信手段を介して前記ウェブページの送信要求を送信することを特徴とする。
【０００９】
請求項３の発明は、請求項２の発明において、前記宅内機器は、監視または制御に関わる何らかのイベントが発生した場合、当該イベントの内容に応じた優先度と、当該イベントに対応するウェブページの保存場所とを含むメッセージを前記表示装置に送信し、当該表示装置から送信される送信要求に応じて前記表示情報を送信してなり、前記表示装置は、前記メッセージに含まれる優先度と前記表示手段で表示中のウェブページに対応するイベントの内容に応じた優先度とを比較するとともに前者の優先度が後者の優先度より高い場合に前記通信手段を介して前記ウェブページの保存場所に対して送信要求を送信する優先度判定手段を具備することを特徴とする。
【００１０】
請求項４の発明は、請求項３の発明において、前記表示装置は、表示中のウェブページと異なるイベントに対応するメッセージが受信されたことを報知する報知手段を具備することを特徴とする。
【００１１】
請求項５の発明は、請求項２〜４の何れか１項の発明において、前記宅内機器は、監視または制御に関わる何らかのイベントの履歴情報を前記メッセージに含めて前記表示装置に送信してなり、前記表示装置は、前記メッセージに含まれる履歴情報を前記表示手段に表示することを特徴とする。
【００１２】
請求項６の発明は、請求項５の発明において、前記履歴情報は、イベントの発生日時並びにイベントの内容を含む複数の項目からなり、前記表示装置は、個々の項目毎に前記履歴情報を並べ替えて表示手段に表示することを特徴とする。
【００１３】
請求項７の発明は、請求項２〜４の何れか１項の発明において、前記宅内機器は、監視または制御に関わる何らかのイベントの履歴情報を保存した保存場所を前記メッセージに含めて前記表示装置に送信してなり、前記表示装置は、前記保存場所に保存されている前記履歴情報を各宅内機器から受信して前記表示手段に一覧表示することを特徴とする。
【００１４】
請求項８の発明は、請求項１〜７の何れか１項の発明において、前記宅内機器は、住宅設備の監視または制御の少なくとも何れか一方を行うコントローラであって、当該コントローラは、自己の監視または制御の対象である住宅設備の監視若しくは制御に関わる内容を含んだウェブページを前記表示装置に送信してなる。
【発明の効果】
【００１５】
請求項１の発明によれば、監視または制御に関わる内容を表示するためのウェブページを宅内機器から表示装置に送信し、表示装置では、ウェブブラウザ手段が前記宅内機器から受け取った当該ウェブページを表示手段に表示させるので、監視または制御に関わる内容を表示するための表示情報を表示装置に記憶していた従来例と比較して、表示装置に大容量のメモリが不要となって処理負荷が軽減できる。
【００１６】
請求項２の発明によれば、前記宅内機器は、監視または制御に関わる何らかのイベントが発生した場合、当該イベントに対応するウェブページの保存場所を含むメッセージを前記表示装置に送信し、当該表示装置から送信される送信要求に応じて前記ウェブページを送信し、前記表示装置は、前記メッセージに含まれる前記保存場所に対して前記通信手段を介して前記ウェブページの送信要求を送信するので、それぞれのイベントに対応したウェブページが各宅内機器に保持されることで表示装置における処理負荷が軽減できる。
【００１７】
請求項３の発明によれば、表示装置の優先度判定手段において、前記メッセージに含まれる優先度と前記表示手段で表示中のウェブページに対応するイベントの内容に応じた優先度とを比較するとともに前者の優先度が後者の優先度より高い場合に前記通信手段を介して前記ウェブページの保存場所に対して送信要求を送信するので、それぞれのイベントに対応したウェブページが各宅内機器に保持されることで表示装置における処理負荷が軽減でき、しかも、新たに宅内機器をシステムに追加する際には追加する宅内機器に対応したウェブページを宅内機器に保持すればよいから、表示を切り換えるために表示装置に記憶している切換ルールを更新する場合に比較して作業負担が減らせる。
【００１８】
請求項４の発明によれば、表示中のウェブページと異なるイベントに対応するメッセージが受信されたことを報知する報知手段を表示装置に具備するので、優先度が低いために表示されないメッセージを表示装置で受信したことが使用者に報知できる。
【００１９】
請求項５の発明によれば、前記宅内機器は、監視または制御に関わる何らかのイベントの履歴情報を前記メッセージに含めて前記表示装置に送信してなり、前記表示装置は、前記メッセージに含まれる履歴情報を前記表示手段に表示するので、過去から現在までのイベントの発生状況が容易に把握できる。
【００２０】
請求項６の発明によれば、表示装置は、イベントの発生日時並びにイベントの内容を含む複数の項目毎に前記履歴情報を並べ替えて表示手段に表示するので、イベントの発生状況が多角的に把握できる。
【００２１】
請求項７の発明によれば、前記宅内機器は、監視または制御に関わる何らかのイベントの履歴情報を保存した保存場所を前記メッセージに含めて前記表示装置に送信してなり、前記表示装置は、前記保存場所に保存されている前記履歴情報を各宅内機器から受信して前記表示手段に一覧表示するので、イベントの履歴情報を表示する表示形式が各宅内機器側で自由に設定可能となる。
【００２２】
請求項８の発明によれば、前記宅内機器は、住宅設備の監視または制御の少なくとも何れか一方を行うコントローラであって、当該コントローラは、自己の監視または制御の対象である住宅設備の監視若しくは制御に関わる内容を含んだウェブページを前記表示装置に送信してなるので、１つのコントローラで複数の住宅設備の監視または制御を行うことによって個々の住宅設備にウェブサーバ機能を搭載する場合に比較してシステム全体のコストダウンが図れるとともに、複数の住宅設備の監視若しくは制御に関わる内容を含んだウェブページをまとめて表示装置に送信することができる。しかも、システムに新たな監視または制御の対象となる住宅設備が追加され、新しいウェブページの追加が必要になった場合でも、追加された住宅設備を監視または制御の対象とするコントローラを新規なものに代えるだけでよく、システムの拡張が容易に行える。
【発明を実施するための最良の形態】
【００２３】
以下、住宅設備の監視と制御を行う住宅設備監視制御システムに本発明の技術思想を適用した実施形態について、図面を参照して詳細に説明する。
【００２４】
本実施形態の住宅設備監視制御システムは、図３に示すように住宅内に設置されたコントローラＣ１，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される統合管理装置ＴＭと、統合管理装置ＴＭにＬＡＮケーブルを介して接続される複数（図示例では、２つ）の端末装置（パーソナル・コンピュータＰＣ並びに表示制御装置ＣＶ）とを備え、これら複数のコントローラＣと統合管理装置ＴＭと端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格に準拠したローカルエリアネットワーク（ＬＡＮ）であって、ハブに相当する統合管理装置ＴＭに、ネットワーク端末に相当する各サブシステムＳＳｎのコントローラＣｎや端末装置（パーソナルコンピュータＰＣ並びに表示制御装置ＣＶ）などがスター配線で接続されている。さらに統合管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。なお、この種のインターネット接続装置ＭＤは従来周知であるから詳細な構成についての図示並びに説明は省略する。
【００２５】
また、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置に宛て送信されるメッセージを中継する機能を有している。但し、上述のようなインターネット接続機能を有する携帯型の端末装置やセンタ装置ＳＶは従来周知であるから、詳細な構成についての図示並びに説明は省略する。
【００２６】
統合管理装置ＴＭは、図４に示すようにそれぞれにＬＡＮケーブルを介してサブシステムＳＳｎのコントローラＣｎが接続される複数の通信ポート２i（ｉ＝１，２，…）と、ＬＡＮケーブルを介してインターネット接続装置ＭＤが接続される通信ポート３と、通信ポート２i，３間の伝送経路を切り換えるとともに通信ポート２i，３間で転送されるパケットの破棄や通信ポート２i又は３の遮断若しくは制限等の処理（以下、パケット処理と呼ぶ。）を実行するパケット処理部４と、ＣＰＵを主構成要素としパケット処理部４を制御して伝送経路を切り換えさせる機能（経路切換機能）やパケットに対するウイルスチェックやフィルタリング等を実行する機能（ネットワークセキュリティ機能）、サブシステムの構成管理機能（後述する）等を有する制御部１と、コントローラＣｎやインターネット接続装置ＭＤのＭＡＣ（Media Access Conrol：媒体アクセス制御）アドレスやネットワークアドレス（プライベートのＩＰアドレス）、各サブシステムＳＳｎに関する制御情報や監視情報を記憶するための記憶部５とを備えている。通信ポート２i，３は、ＬＡＮケーブルの先端に設けられているＲＪ−４５のモジュラプラグが挿抜自在に接続されるモジュラジャックを具備している。また、パケット処理部４は多数のスイッチ要素を具備し、制御部１の経路切換機能によってスイッチ要素が駆動されることにより任意の１つの通信ポート２i又は３と他の１乃至複数の通信ポート２i又は３との間の伝送経路を切り換えたり、あるいは制御部１のネットワークセキュリティ機能によって異常（例えば、不正なパケットやネットワークに支障を来すほど大量のパケットの流入または流出）が生じている通信ポート２i又は３を遮断若しくは制限するものである。記憶部５は不揮発性メモリからなり、各通信ポート２iに接続されているコントローラＣｎや端末装置並びに通信ポート３に接続されているインターネット接続装置ＭＤのＭＡＣアドレスやネットワークアドレスを各通信ポート２i，３と対応させて記憶している。但し、通信ポート２i，３に接続されているコントローラＣｎや端末装置並びにインターネット接続装置ＭＤのＭＡＣアドレスを取得する方法については従来周知であるから詳細な説明は省略する。また、各コントローラＣｎや端末装置のネットワークアドレス、すなわち、プライベート（あるいはローカルとも言う。）のＩＰアドレスについては、制御部１がＤＨＣＰ（Dynamic Host Configuration Protocol）を用いて自動的に割り当てるようになっている。但し、ＤＨＣＰを用いたネットワークアドレスの自動割り当てについても従来周知であるから詳細な説明は省略する。
【００２７】
制御部１は、通信ポート２i，３からパケット処理部４に入ってくるパケットの送信先のアドレス（ＭＡＣアドレス）を監視しており、例えば、通信ポート３から入ってきたパケットの送信先のアドレスを記憶部５に記憶しているＭＡＣアドレスと照合し、送信先のアドレスと一致するＭＡＣアドレスのコントローラＣｎや端末装置（例えば、コントローラＣ１）が接続されている通信ポート２1と通信ポート３との間にのみ伝送経路が形成されるようにパケット処理部４を制御し、形成された伝送経路を介してパケットを通信ポート２1に送り出させている（経路切換機能）。また、制御部１では、通信ポート２i，３を通過するパケットを常時監視し、異常なパケットを破棄したり、あるいは上述のようにパケット処理部４を制御して異常が生じている通信ポート２i又は３を遮断若しくは制限させている（ネットワークセキュリティ機能）。さらに、制御部１はＵＰｎＰ（ユニバーサル・プラグ・アンド・プレイ）のコントロールポイントの機能を実装しており、後述するようにＵＰｎＰにおいてデバイスの検出を行うＳＳＤＰ（Simple Service Discovery Protocol）を利用してＵＰｎＰのデバイスに相当する各コントローラＣｎを自動的に検出するようになっている。
【００２８】
ところで、統合管理装置ＴＭは、合成樹脂成形品からなる箱形のハウジング（図示せず）に上述した各部を収納して構成されているが、当該ハウジングは住宅内の壁面に設置されている住宅用分電盤（住宅盤）に収納可能となっている。但し、当該ハウジングの構造は一例であって、必ずしも住宅盤に収納される必要はない。
【００２９】
次に、個々のサブシステムＳＳｎについて説明する。
【００３０】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行うコントローラ（以下、設備機器コントローラと呼ぶ。）Ｃ１と、住宅における使用電流を計測する電流計測装置Ｄとを備えている。
【００３１】
設備機器コントローラＣ１は、図５に示すようにマイコンを主構成要素とする設備機器コントローラ制御部１０と、宅内ネットワークのＬＡＮケーブルが接続され設備機器コントローラ制御部１０と宅内ネットワークのインタフェースを行うＬＡＮインタフェース部１１と、日本電機工業会（JEMA）の統一規格に適合した設備機器Ｘ１（エアコンや給湯器など）と設備機器コントローラ制御部１０のインタフェースを行うＨＡ（ホームオートメーション）インタフェース部１２と、前記ＪＥＭＡ規格に適合したＨＡ端子（図示せず）を有するＨＡ端子部１３と、当該ＪＥＭＡ規格に適合しない設備機器Ｘ２（照明器具）への給電経路に挿入されるリレー（図示せず）を有するリレー端子部１５と、設備機器コントローラ制御部１０の制御下でリレー端子部１５が有するリレーを駆動する照明器具インタフェース部１４と、マイコンで実行するプログラムや設備機器Ｘ１，Ｘ２の動作状態などの制御情報及び監視情報を記憶するメモリ部１６と、電流計測装置Ｄとの間でデータ通信を行うためのローカルインタフェース部１７と、現在時刻を計時する計時部１８とを備えている。また、図示は省略しているが、商用電源から所望の直流電源を作成して設備機器コントローラ制御部１０やその他の各部に動作電源を供給するための電源回路も備えている。
【００３２】
設備機器コントローラ制御部１０は、ＬＡＮインタフェース部１１を通じて端末装置から制御要求のメッセージを受け取ったときにＨＡインタフェース部１２あるいは照明器具インタフェース部１４を介して各設備機器Ｘ１，Ｘ２を個別に制御して運転（照明器具Ｘ２の場合は点灯）と停止（照明器具Ｘ２の場合は消灯）を切り換え、ＬＡＮインタフェース部１１を通じて端末装置から監視要求のメッセージを受け取ったときにＨＡインタフェース部１２あるいは照明器具インタフェース部１４を介して各設備機器Ｘ１，Ｘ２の動作状態（運転＜点灯＞又は停止＜消灯＞）を個別に取得するとともに、制御要求や監視要求に対する応答（各設備機器Ｘ１，Ｘ２の動作状態）のメッセージをＬＡＮインタフェース部１１より要求メッセージの送信元である端末装置に向けて送信させる機能（制御監視機能）を有する。また、設備機器コントローラ制御部１０は、自己の配下にある設備機器Ｘ１〜Ｘ４の名称並びに動作状態を文字や記号で表示するための多数のウェブページ（ウェブページ群）を保持しており、端末装置からの要求に応じて当該ウェブページ群の中から適切なウェブページを選んでＬＡＮインタフェース部１１より端末装置に提供（配信）する機能（ウェブサーバ機能）を有している。
【００３３】
電流計測装置Ｄは、図６に示すようにマイコンを主構成要素とするマイコンブロック２０と、住宅盤に収納されている主幹ブレーカ（図示せず）の電源側に設けられて電源線ＰＬより主幹ブレーカに流れ込む電流を検出する電流センサ（カレントトランス）ＣＴと、電流センサＣＴで検出する電流から住宅における使用電流量を計測する電流計測部２１と、設備機器コントローラＣ１の設備機器コントローラ制御部１０との間でデータ通信を行うためのローカルインタフェース部２２と、日本電機工業会の統一規格に適合した設備機器Ｘ３，Ｘ４（エアコンや給湯器など）とマイコンブロック２０のインタフェースを行うＨＡインタフェース部２３と、前記ＪＥＭＡ規格に適合したＨＡ端子（図示せず）を有するＨＡ端子部２４とを備えている。マイコンブロック２０は、電流計測部２１で計測する使用電流の計測値が予め決められている上限値を超えた場合、ローカルインタフェース部２２，１７を通じて設備機器コントローラＣ１の設備機器コントローラ制御部１０に機器停止（電源オフ）指令を送信するか、あるいはＨＡインタフェース部２３を制御してＨＡ端子部２４に接続されている設備機器Ｘ３又はＸ４の電源をオフさせて電力の使い過ぎを防止する機能（デマンド制御機能）と、ローカルインタフェース部２２を介して設備機器コントローラ制御部１０から与えられる指令に応じて設備機器Ｘ３，Ｘ４の動作制御や状態監視を行う機能とを有している。ここで、マイコンブロック２０にはサブシステムＳＳ１に含まれる設備機器Ｘ１〜Ｘ４のデマンド制御における優先順位が登録されており、使用電流の計測値が上限値を超えた場合、前記優先順位の高い設備機器Ｘ１，…から順番に電源がオフされる。但し、必ずしも電流計測装置Ｄに設備機器Ｘ３，Ｘ４の制御及び監視機能を持たせる必要はなく、設備機器コントローラＣ１の設備機器コントローラ制御部１０が上記デマンド制御機能を搭載してもよい。また、電流計測装置Ｄは必須の構成要件ではなく、電流計測装置Ｄを含まないサブシステムＳＳ１であっても構わない。
【００３４】
また、サブシステムＳＳ２は、図３に示すように住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するコントローラ（以下、セキュリティコントローラと呼ぶ。）Ｃ２とで構成されるセキュリティシステムである。
【００３５】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガスあるいはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。但し、上述のような機能を有するセキュリティ機器Ｙ１，Ｙ２については従来周知であるから、詳細な構成についての図示並びに説明は省略する。
【００３６】
セキュリティ受信器ＳＲは、セキュリティ機器Ｙ１，Ｙ２から送信された無線信号（若しくは有線信号）を受信することで検知情報を収集し、さらに当該検知情報に対応した処理、例えば、火災やガス漏れあるいは不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。なお、上述のような機能を有するセキュリティ受信器ＳＲについては従来周知であるから、詳細な構成についての図示並びに説明は省略する。
【００３７】
セキュリティコントローラＣ２は、図７に示すようにマイコンを主構成要素とするセキュリティコントローラ制御部３０と、宅内ネットワークのＬＡＮケーブルが接続されセキュリティコントローラ制御部３０と宅内ネットワークのインタフェースを行うＬＡＮインタフェース部３１と、セキュリティ受信器ＳＲとの間で無線（若しくは有線）によるデータ通信を行う通信部３２と、ＬＥＤ等の発光素子で電源のオン／オフ状態や通信状態等を表示する表示部３３と、押釦スイッチ等を有する操作部３４と、マイコンで実行するプログラムやセキュリティ機器Ｙ１，Ｙ２から収集した検知情報を記憶するメモリ部３５とを備えている。また、図示は省略しているが、商用電源から所望の直流電源を作成してセキュリティコントローラ制御部３０やその他の各部に動作電源を供給するための電源回路も備えている。
【００３８】
セキュリティコントローラ制御部３０は、セキュリティ受信器ＳＲから通信部３２を介して受け取った検知情報を応答メッセージとして宅内ネットワーク（あるいは宅内ネットワークと外部ネットワーク）を通じて端末装置に送信する機能（警報機能）や、端末装置から制御要求のメッセージを受け取ったときに通信部３２を介してセキュリティ受信器ＳＲにコマンド（切換指令）を送信してセキュリティ受信器ＳＲの動作状態（警戒状態又は非警戒状態）を切り換えたり、あるいはセキュリティ受信器ＳＲによる警報音の鳴動を停止させたり、端末装置から監視要求のメッセージを受け取ったときに通信部３２を介してセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージをＬＡＮインタフェース部３１より要求メッセージの送信元である端末装置に向けて送信させる機能（制御監視機能）を有する。また、セキュリティコントローラ制御部３０は、自己の配下にあるセキュリティ受信器ＳＲの動作状態等を文字や記号で表示するための多数のウェブページ（ウェブページ群）を保持しており、端末装置からの要求に応じて当該ウェブページ群の中から適切なウェブページを選んでＬＡＮインタフェース部３１より端末装置に提供（配信）する機能（ウェブサーバ機能）を有している。
【００３９】
サブシステムＳＳ３は、図３に示すように住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像を外部ネットワークを通じてセンタ装置ＳＶに伝送するコントローラ（以下、画像転送コントローラと呼ぶ。）Ｃ３とで構成されるインターホンシステムである。
【００４０】
ドアホン子器ＤＳは、通話用のマイクロホン並びにスピーカや来訪者を撮像するためのカメラを具備し、マイクロホンで集音した通話音声を通話線を介してインターホン親機ＩＭに伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。なお、ドアホン子器ＤＳに伝送された画像は通話線を介してインターホン親機ＩＭに転送される。
【００４１】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００４２】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。但し、上述のような機能を有するインターホン親機ＩＭ、ドアホン子器ＤＳ、センサカメラＳＣについては、従来周知であるから詳細な構成についての図示並びに説明を省略する。
【００４３】
画像転送コントローラＣ３は、図８に示すようにマイコンを主構成要素とする画像転送コントローラ制御部４０と、宅内ネットワークのＬＡＮケーブルが接続され画像転送コントローラ制御部４０と宅内ネットワークのインタフェースを行うＬＡＮインタフェース部４１と、インターホン親機ＩＭとの間で信号線を介したデータ通信を行う通信部４２と、ＬＥＤ等の発光素子で電源のオン／オフ状態や通信状態等を表示する表示部４３と、押釦スイッチ等を有する操作部４４と、マイコンで実行するプログラムやインターホン親機ＩＭから信号線を通じて伝送されるデータ（画像データ及び通話音声データ）を記憶するメモリ部４５とを備えている。また、図示は省略しているが、商用電源から所望の直流電源を作成して画像転送コントローラ制御部４０やその他の各部に動作電源を供給するための電源回路も備えている。
【００４４】
画像転送コントローラ制御部４０は、ドアホン子器ＤＳ並びにセンサカメラＳＣからインターホン親機ＩＭに伝送された画像データ及び通話音声データを通信部４２を介してインターホン親機ＩＭから受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、画像転送コントローラ制御部４０は、メモリ部４５に記録している画像の一覧等を開示する多数のウェブページ（ウェブページ群）を保持しており、端末装置からの要求に応じて適切なウェブページを選んでＬＡＮインタフェース部４１より端末装置に提供（配信）する機能（ウェブサーバ機能）を有している。
【００４５】
次に、本願発明の表示装置に相当する表示制御装置ＣＶについて説明する。表示制御装置ＣＶは住宅内の壁面に埋込配設されるものであって、図１に示すようにマイコンを主構成要素とするマイコン部５０と、宅内ネットワークのＬＡＮケーブルが接続されマイコン部５０と宅内ネットワークのインタフェースを行うＬＡＮインタフェース部５１と、液晶ディスプレイ５２ａ並びにＬＥＤ（図示せず）とそれらのドライバ回路を有する表示部５２と、押釦スイッチや液晶ディスプレイ５２ａの画面上に配設されるタッチパネルを有して操作入力を受け付ける操作部５３と、マイコンで実行するプログラムや種々のデータを記憶するメモリ部５４と、スピーカとスピーカの駆動回路を有するスピーカ部５５とを備えている。また、図示は省略しているが、商用電源から所望の直流電源を作成してマイコン部５０やその他の各部に動作電源を供給するための電源回路も備えている。マイコン部５０にはウェブブラウザが実装されており、各コントローラＣｎ等から提供されるウェブページ並びに予めメモリ部５４に記憶しているウェブページ（以下、内蔵ウェブページと呼ぶ。）をウェブブラウザで再生して表示部５２の液晶ディスプレイ５２ａに表示するとともに、操作部５３のタッチパネルが操作された位置と液晶ディスプレイ５２ａに表示されているアイコン等との位置関係に応じた操作入力を受け付ける。また、メモリ部５４には予め警報音や音声メッセージのデータが圧縮して格納されており、マイコン部５０が必要に応じてメモリ部５４から読み出したデータを伸長してスピーカ部５５に出力すれば、前記警報音や音声メッセージがスピーカから鳴動される。
【００４６】
また、表示制御装置ＣＶは、図２に示すように矩形箱形の合成樹脂成形品からなるハウジング５６の内部に上述した各部５０〜５５が収納されて構成されており、表示部５２が有する液晶ディスプレイ５２ａの画面がハウジング５６前面の左寄りに配置されている。なお、液晶ディスプレイ５２ａの画面には操作部５３が有するタッチパネル（透明であるから番号は付さない）が一体に設けられている。ハウジング５６前面の右寄り上部には、スピーカ部５５から鳴動する音をハウジング５６の外に放射するための多数の孔５６ａがマトリクス状に並べて貫設されている。また、ハウジング５６前面の右寄り下部には、操作部５３が具備する複数の押釦スイッチ（図示せず）を押操作するための操作釦５３ａ，５３ｂ，５３ｃ，５３ｄが縦横２列に並べて配設されている。さらに、ハウジング５６前面の右寄り中央部には、蓋体５６ｂによって開閉自在に閉塞される凹所（図示せず）が設けられており、凹所の底面に電源入／切やマイコン部５０をリセットするための押釦スイッチ（図示せず）、表示部５２のＬＥＤなどが配設されている。なお、図示は省略するが、ハウジング５６の背面にはＬＡＮインタフェース部５１が有するモジュラジャックの差込口と、商用電源からの電源線が接続される端子部の電線挿入孔とが露出している。
【００４７】
また本実施形態においては、自ら撮像した画像を宅内ネットワーク経由で配信する機能（ウェブサーバ機能）を有した、いわゆるウェブカメラＷＣがＬＡＮケーブルを介して統合管理装置ＴＭの通信ポート２に接続されている（図３参照）。かかるウェブカメラＷＣは従来周知であって、撮像した画像を所定の圧縮方式（例えば、動画像であればＭＰＥＧ４、静止画像であればＪＰＥＧなど）で圧縮してネットワークを通じて配信したり、ネットワークを通じてパンやチルトの遠隔制御が可能である。
【００４８】
ところで本実施形態においては、統合管理装置ＴＭの制御部１にもウェブサーバ機能が搭載されており、各コントローラＣｎがウェブサーバ機能によって提供するウェブページ（各サブシステムＳＳｎのホームページ）への入り口となるウェブページ（いわゆるポータルサイト）を作成し、宅内ネットワークを通じて住宅内の端末装置（パソコンＰＣや表示制御装置ＣＶ）に提供（配信）している。例えば、表示制御装置ＣＶの液晶ディスプレイ５２ａには、通常、統合管理装置ＴＭで作成された前記ポータルサイトが表示されている。このポータルサイトでは、各コントローラＣｎで提供されるウェブコンテンツ（各サブシステムＳＳｎのホームページ）へのリンクがアイコンで表示されており、何れかのアイコン上でタッチパネルが操作されれば、当該アイコンで表示されたリンク先のＵＲＬ（各コントローラＣｎが保有するウェブページ群のＩＰアドレス）に対して表示制御装置ＣＶからウェブコンテンツの送信要求メッセージが送信される。そして、送信要求メッセージを受信したコントローラＣｎが自己の保有するウェブページ群の中から指定されたウェブページを表示制御装置ＣＶに対して送信すれば、前記ポータルサイトに代わって当該コントローラＣｎのウェブページ（例えば、各サブシステムＳＳｎのホームページ）が液晶ディスプレイ５２ａに表示される。但し、上述のポータルサイト（ウェブページ）を表示制御装置ＣＶに保持するようにしても構わない。
【００４９】
次に、宅内ネットワークに新たにサブシステム（例えば、ＳＳ１）が追加される場合について、図９のシーケンス図を参照して説明する。
【００５０】
サブシステムＳＳ１の配線が完了した後、設備機器コントローラＣ１を起動（電源オン）すると、ＵＰｎＰのデバイスに相当する設備機器コントローラＣ１の設備機器コントローラ制御部１０からＵＰｎＰのコントロールポイントに相当する統合管理装置ＴＭに対して宅内ネットワークへの参加が告知（NOTIFY）される（１）。当該告知を受け取った統合管理装置ＴＭの制御部１がＵＰｎＰのデバイスを検索し（２）、告知元の設備機器コントローラＣ１からの応答として当該コントローラの種類（設備機器コントローラＣ１）やＭＡＣアドレス等の情報を受け取る（３）。さらに、当該告知を受け取った統合管理装置ＴＭの制御部１では、ＤＨＣＰサーバの機能を使って、新しく宅内ネットワークに参加する設備機器コントローラＣ１にネットワークアドレス（プライベートのＩＰアドレス）を割り当て、当該設備機器コントローラＣ１のＭＡＣアドレス及びネットワークアドレスを記憶部５に記憶するとともに、記憶部５に記憶しているポータルサイトのリンク先のリストに当該ネットワークアドレスを登録し（４）、且つ割り当てたネットワークアドレスを通知するメッセージを設備機器コントローラＣ１に送信する（５）。そして、当該メッセージを受け取った設備機器コントローラＣ１の設備機器コントローラ制御部１０が通知されたネットワークアドレスを自己のアドレスとしてメモリ部１６に記憶すれば（６）、宅内ネットワークにサブシステムＳＳ１を追加する作業が完了する。なお、他のサブシステムＳＳ２，ＳＳ３が追加される場合も共通の手順で行われるから説明は省略する。
【００５１】
次に、宅内の端末装置（例えば、表示制御装置ＣＶ）を使って設備機器Ｘｍの制御並びに監視を行う場合の動作を、図１０のシーケンス図を参照して説明する。
【００５２】
まず、操作部５３の操作釦５３ａが押操作されるとマイコン部５０がＬＡＮインタフェース部５１より統合管理装置ＴＭに対してポータルサイトの送信要求メッセージを送信する（１）。統合管理装置ＴＭの制御部１は、記憶部５のリストに登録されているサブシステムＳＳ１〜ＳＳ３のホームページへのリンクを示すアイコンや個々のサブシステムＳＳ１〜ＳＳ３の名称を示す文字等を表示するポータルサイトを予め作成して記憶部５に記憶しており、当該メッセージを受け取ったときに記憶部５からポータルサイトのデータを読み出して送信要求元の表示制御装置ＣＶへ送信する（２）。
【００５３】
表示制御装置（本発明に係る表示装置）ＣＶでは、統合管理装置ＴＭから受け取ったウェブページのデータ（ファイル）をマイコン部５０で実行するウェブブラウザで開くことにより、液晶ディスプレイにポータルサイトを表示する（３）。そして、サブシステムＳＳ１のアイコン上でタッチパネルが操作されれば（４）、当該アイコンで表示されたリンク先のＵＲＬ（設備機器コントローラＣ１が保有するウェブページ群のＩＰアドレス）に対して、前記ウェブブラウザによってウェブページの送信要求メッセージが送信される（５）。そして、送信要求メッセージを受信した設備機器コントローラＣ１の設備機器コントローラ制御部１０が自己の保有するウェブページのデータを表示制御装置ＣＶに送信すれば（６）、マイコン部５０で実行するウェブブラウザで当該データ（ファイル）を開くことによりサブシステムＳＳ１のウェブページ（例えば、ホームページ）が表示部５２の液晶ディスプレイに表示される（７）。このホームページでは、サブシステムＳＳ１に含まれる設備機器Ｘ１〜Ｘ４の名称と設置場所（例えば、「リビングのエアコン」，「リビングの照明」など）を示した文字、各設備機器Ｘ１〜Ｘ４の動作状態を示す文字、各設備機器Ｘ１〜Ｘ４の動作状態を反転させる操作に対応したボタン等が表示され、これらのボタンに各々他のウェブページがリンクしている。従って、ホームページに表示される情報から各設備機器Ｘ１〜Ｘ４の動作状態を監視（確認）することができる（８）。
【００５４】
ここで、何れかの設備機器Ｘｍの動作状態を反転させる制御、例えば、現在点灯している照明器具（設備機器Ｘ２）を消灯させる制御を行う場合、ホームページにおいて設備機器Ｘ４の動作状態を反転させる操作に対応したボタン上でタッチパネルを操作する（９）。すると、前記ウェブブラウザによって当該ボタンが操作されたことを示すメッセージ、つまり、照明器具（設備機器Ｘ２）の消灯制御を要求するメッセージ（要求メッセージ）が宅内ネットワークを通じて設備機器コントローラＣ１のネットワークアドレス宛に送信される（１０）。そして、この要求メッセージを受け取った設備機器コントローラＣ１の設備機器コントローラ制御部１０では、照明器具インタフェース部１４を介してリレー端子部１５のリレーをオフすることで照明器具（設備機器Ｘ２）を消灯する（１１）。その後、設備機器コントローラ制御部１０は照明器具（設備機器Ｘ２）の消灯に対応したウェブページのデータを表示制御装置ＣＶに送信し（１２）、表示制御装置ＣＶのマイコン部５０で実行するウェブブラウザで当該データ（ファイル）を開くことによりサブシステムＳＳ１の他のウェブページが表示部５２の液晶ディスプレイ５２ａに表示される（１３）。当該ウェブページでは、照明器具（設備機器Ｘ２）の動作状態が点灯から消灯に変更されている。但し、何らかの原因で設備機器Ｘｍの制御に失敗した場合、設備機器コントローラ制御部１０が制御に失敗した旨の応答メッセージを作成してＬＡＮインタフェース部１１より表示制御装置ＣＶに送信し、表示制御装置ＣＶの表示部５２（液晶ディスプレイ５２ａ）にエラーメッセージ（要求された設備機器Ｘｍの制御に失敗した旨の文字）が表示される。
【００５５】
次に、携帯型の端末装置（例えば、携帯電話機ＭＰ）を使って住宅の外から設備機器Ｘｍの制御並びに監視を行う場合の動作を、図１１のシーケンス図を参照して説明する。ここで、外部ネットワーク（インターネット）に対して各コントローラＣｎのウェブサーバ機能がポートを常時開放していると、例えば、悪意を持った侵入者によってシステムに異常を来す虞が高くなるので、本実施形態においては、各コントローラＣｎのウェブサーバ機能が通常はポートを閉じつつセンタ装置ＳＶに対して定期的にポーリングを行い、携帯型の端末装置から受け取った要求メッセージがセンタ装置ＳＶに保持されていれば、当該要求メッセージの宛先のコントローラＣｎによるポーリング時にセンタ装置ＳＶから要求メッセージを転送することで宅内ネットワークを保護している。
【００５６】
上述のように各コントローラＣｎからセンタ装置ＳＶに対して定期的にポーリングが行われ、センタ装置ＳＶに携帯電話機ＭＰからの要求メッセージが保持されていなければ、センタ装置ＳＶからは単に肯定応答（ＡＣＫ）がコントローラＣｎに返信されるだけである。ここで、家人が携帯電話機ＭＰを使って要求メッセージ（例えば、照明器具の動作状態の監視要求メッセージ）をセンタ装置ＳＶに送信し（１）、当該監視要求メッセージがセンタ装置ＳＶで保持された後に設備機器コントローラＣ１からポーリングされると（２）、センタ装置ＳＶは携帯電話機ＭＰから受け取って保持していた前記監視要求メッセージを設備機器コントローラＣ１に対して送信（転送）する（３）。この監視要求メッセージを受け取った設備機器コントローラＣ１では、設備機器コントローラ制御部１０が照明器具（設備機器Ｘ２）の現在の動作状態（例えば、点灯）を示す監視応答メッセージを作成してセンタ装置ＳＶに返信する（４）。当該監視応答メッセージはセンタ装置ＳＶから携帯電話機ＭＰに転送され（５）、携帯電話機ＭＰの液晶画面にセンタ装置ＳＶから転送された監視応答メッセージが表示されることで照明器具の動作状態（点灯）が確認できる。
【００５７】
また、家人が携帯電話機ＭＰを使って要求メッセージ（例えば、照明器具を消灯する制御要求メッセージ）をセンタ装置ＳＶに送信し（６）、当該制御要求メッセージがセンタ装置ＳＶで保持された後に設備機器コントローラＣ１からポーリングされると（７）、センタ装置ＳＶは携帯電話機ＭＰから受け取って保持していた前記制御要求メッセージを設備機器コントローラＣ１に対して送信（転送）する（８）。この制御要求メッセージを受け取った設備機器コントローラＣ１では、設備機器コントローラ制御部１０が照明器具インタフェース部１４を介してリレー端子部１５のリレーをオフすることで照明器具（設備機器Ｘ２）を消灯する（９）。その後、設備機器コントローラ制御部１０が照明器具（設備機器Ｘ２）を消灯したことを示す制御応答メッセージを作成してセンタ装置ＳＶに返信する（１０）。当該制御応答メッセージはセンタ装置ＳＶから携帯電話機ＭＰに転送され（１１）、携帯電話機ＭＰの液晶画面にセンタ装置ＳＶから転送された制御応答メッセージが表示されることで照明器具が消灯したことが確認できる。但し、制御要求メッセージを送信してから制御応答メッセージが返信されるまでに相当の時間（例えば、数分間）を要する場合、制御要求メッセージを受け取った旨のメッセージをセンタ装置ＳＶから携帯電話機ＭＰに送信することが望ましい。
【００５８】
次に、表示制御装置ＣＶを使ってセキュリティ受信器ＳＲの動作状態（警戒状態又は非警戒状態）の制御（切換）並びに監視を行う場合の動作を、図１２のシーケンス図を参照して説明する。
【００５９】
まず、操作部５３の操作釦５３ａが押操作されるとマイコン部５０がＬＡＮインタフェース部５１より統合管理装置ＴＭに対してポータルサイトの送信要求メッセージを送信する（１）。当該メッセージを受け取った統合管理装置ＴＭの制御部１は、記憶部５から読み出したポータルサイトのデータを送信要求元の表示制御装置ＣＶへ送信する（２）。
【００６０】
表示制御装置ＣＶでは、統合管理装置ＴＭから受け取ったデータ（ファイル）をマイコン部５０で実行するウェブブラウザで開くことにより、液晶ディスプレイ５２ａにポータルサイトを表示する（３）。そして、サブシステム（セキュリティシステム）ＳＳ２のアイコン上でタッチパネルが操作されれば（４）、当該アイコンで表示されたリンク先のＵＲＬ（セキュリティコントローラＣ２が保有するウェブページ群のＩＰアドレス）に対して、前記ウェブブラウザによってウェブページの送信要求メッセージが送信される（５）。そして、送信要求メッセージを受信したセキュリティコントローラＣ２のセキュリティコントローラ制御部３０が自己の保有するウェブページのデータを表示制御装置ＣＶに送信すれば（６）、マイコン部５０で実行するウェブブラウザで当該データ（ファイル）を開くことによりセキュリティシステムＳＳ２のウェブページ（例えば、ホームページ）が表示部５２の液晶ディスプレイ５２ａに表示される（７）。このホームページでは、セキュリティシステムＳＳ２に含まれるセキュリティ受信器ＳＲ並びにセキュリティ機器Ｙ１，Ｙ２の名称と設置場所を示した文字、セキュリティ受信器ＳＲの動作状態やセキュリティ機器Ｙ１，Ｙ２の検知状況等を示す文字、セキュリティ受信器ＳＲの動作状態を反転させる操作に対応したボタン等が表示され、これらのボタンに各々他のウェブページがリンクしている。従って、ホームページに表示される情報からセキュリティ受信器ＳＲの動作状態や各セキュリティ機器Ｙ１，Ｙ２の検知状況等を監視（確認）することができる（８）。
【００６１】
ここで、セキュリティ受信器ＳＲの動作状態を反転させる制御、例えば、非警戒状態から警戒状態に切り換える制御を行う場合、ホームページにおいてセキュリティ受信器ＳＲの動作状態を反転させる操作に対応したボタン上でタッチパネルを操作する（９）。すると、前記ウェブブラウザによって当該ボタンが操作されたことを示すメッセージ、つまり、セキュリティ受信器ＳＲを警戒状態に切り換える切換制御を要求するメッセージ（要求メッセージ）が宅内ネットワークを通じてセキュリティコントローラＣ２のネットワークアドレス宛に送信される（１０）。そして、この要求メッセージを受け取ったセキュリティコントローラＣ２のセキュリティコントローラ制御部３０では、通信部３２よりセキュリティ受信器ＳＲに対してコマンド（切換指令）を送信することでセキュリティ受信器ＳＲの動作状態が非警戒状態から警戒状態に切り換わる（１１）。その後、セキュリティコントローラ制御部３０はセキュリティ受信器ＳＲの動作状態（警戒状態）に対応したウェブページのデータを表示制御装置ＣＶに送信し（１２）、表示制御装置ＣＶのマイコン部５０で実行するウェブブラウザで当該データ（ファイル）を開くことによりサブシステムＳＳ２の他のウェブページが表示部５２の液晶ディスプレイ５２ａに表示される（１３）。当該ウェブページでは、セキュリティ受信器ＳＲの動作状態が非警戒状態から警戒状態に変更されている。
【００６２】
次に、セキュリティシステムＳＳ２において、セキュリティコントローラＣ２がセキュリティ受信器ＳＲから異常発生（例えば、火災やガス漏れの発生あるいは不審者の侵入など）を示す検知情報を取得した場合の動作を、図１３のシーケンス図を参照して説明する。
【００６３】
何れかのセキュリティ機器Ｙ１，Ｙ２で異常が検出され、セキュリティコントローラＣ２のセキュリティコントローラ制御部３０がセキュリティ受信器ＳＲから異常発生の検知情報を取得すると（１）、セキュリティコントローラ制御部３０は当該検知情報並びに発生した異常の内容に対応したウェブページの保存場所（ＵＲＬ）を含む応答メッセージ（以下、連携メッセージと呼ぶ。）を作成して宅内ネットワーク内に一斉同報（ブロードキャスト）する（２）とともに、センタ装置ＳＶにも異常発生通報のためのメッセージを送信する（３）。
【００６４】
前記連携メッセージを受け取った表示制御装置ＣＶでは、マイコン部５０が受け取った連携メッセージに含まれるＵＲＬに対してウェブページの送信要求を行い（４）、当該送信要求に対してセキュリティコントローラ制御部３０が当該ウェブページを表示制御装置ＣＶに送信する（５）。表示制御装置ＣＶでは、受信したウェブページ、例えば、異常の内容に応じた警報表示（例えば、「○○で火災が発生しました。」あるいは「××に不審者が侵入しました。」などのメッセージ）を表示部５２の液晶ディスプレイ５２ａに表示させ、さらに異常の内容に応じた警報音（例えば、「火災が発生しました。すぐに避難してください。」あるいは「不審者が侵入しました。」などの音声メッセージ）をスピーカ部５５に鳴動させる（６）。なお、かかる警報音については、表示制御装置ＣＶが予め保持していても構わないし、ウェブページとともにセキュリティコントローラ制御部３０から警報音のデータを送信するようにしても構わない。
【００６５】
また、センタ装置ＳＶでは、セキュリティコントローラＣ２から受け取った異常発生の通報メッセージを、予め登録されている携帯電話機ＭＰのメールアドレスに送信することで異常の発生を外出中の家人に通知する（７）。
【００６６】
一方、連携メッセージを受け取った他のコントローラ、すなわち、設備機器コントローラＣ１と画像転送コントローラＣ３においては、設備機器コントローラ制御部１０並びに画像転送コントローラ制御部４０が受け取った連携メッセージに含まれる検知情報から発生した異常の内容を判断し、予め決められているルールに則り、必要であれば異常の内容に応じた制御動作を実行する（８）。例えば、火災が発生している場合に設備機器コントローラ制御部１０が照明器具を点灯することで避難し易くしすることが可能である。但し、ガス漏れが発生している場合、設備機器Ｘｍの動作状態が切り換えられると電源のオン又はオフに伴って発生した火花が漏れたガスに引火する虞があるので、設備機器コントローラ制御部１０では、仮に制御要求メッセージを受け取っても全ての設備機器Ｘｍについての制御を無効とする。
【００６７】
次に、インターホンシステム（サブシステムＳＳ３）のドアホン子器ＤＳで撮像した画像をセンタ装置ＳＶに蓄積するとともに、蓄積された画像を端末装置（例えば、携帯電話機ＭＰ）で再生する場合の動作を、図１４のシーケンス図を参照して説明する。但し、以下の説明では画像のみを蓄積する場合について説明するが、画像とともに通話音声もセンタ装置ＳＶに蓄積し且つ端末装置で再生することも可能である。
【００６８】
既に説明したように、来訪者が呼出釦を押操作すると（１）、ドアホン子器ＤＳの画像伝送機能が有効になってドアホン子器ＤＳのカメラで撮像された画像（画像データ）がインターホン親機ＩＭに伝送される。インターホン親機ＩＭは、ドアホン子器ＤＳから受け取った画像データを画像転送コントローラＣ３に伝送する（２）。画像転送コントローラＣ３においては、インターホン親機ＩＭから受け取った画像データを画像転送コントローラ制御部４０にて所定の圧縮方式（例えば、動画像であればＭＰＥＧ４、静止画像であればＪＰＥＧなど）で圧縮処理し（３）、圧縮した画像データを応答メッセージとして宅内ネットワーク及び外部ネットワークを通じてセンタ装置ＳＶに転送する（４）。センタ装置ＳＶでは、画像転送コントローラＣ３から受け取った画像データをハードディスク等の記録媒体に記録（蓄積）する（５）。
【００６９】
また、表示制御装置ＣＶにより画像転送コントローラＣ３を介してインターホン親機ＩＭの留守録機能が有効に設定されると（６）、表示制御装置ＣＶからセンタ装置ＳＶに対して留守録設定を通知するメッセージが送信される（７）。そして、留守録機能が有効に設定されているときに来訪者が呼出釦を押操作すると（８）、ドアホン子器ＤＳの画像伝送機能が有効になってドアホン子器ＤＳのカメラで撮像された画像（画像データ）がインターホン親機ＩＭに伝送され、インターホン親機ＩＭは、ドアホン子器ＤＳから受け取った画像データを画像転送コントローラＣ３に伝送する（９）とともに、当該画像データをメモリ部４５に記憶（録画）する（１０）。また、インターホン親機ＩＭから受け取った画像データを画像転送コントローラ制御部４０にて圧縮処理し（１１）、圧縮した画像データを応答メッセージとして宅内ネットワーク及び外部ネットワークを通じてセンタ装置ＳＶに転送する（１２）。
【００７０】
センタ装置ＳＶでは、画像転送コントローラＣ３から画像データが転送されると、予め登録されている携帯電話機ＭＰのメールアドレスにメッセージを送信して外出中の家人に来客を通知し（１３）、さらに、当該画像データを記録媒体に蓄積する（１４）。
【００７１】
前記メッセージを受け取った家人が来訪者を確認したい場合、携帯電話機ＭＰよりセンタ装置ＳＶに対して画像再生の要求メッセージを送信すればよい（１５）。当該要求メッセージを受け取ったセンタ装置ＳＶは、記録媒体に蓄積した前記画像データを携帯電話機ＭＰで再生可能なファイル形式に加工（変換）し（１６）、加工後の画像データを携帯電話機ＭＰに送信する（１７）。その結果、外出中の家人は携帯電話機ＭＰで再生した画像を見て来訪者を確認することができる。
【００７２】
次に、インターホン親機ＩＭの画像モニタ機能を利用し、ドアホン子器ＤＳで撮像した画像を端末装置（例えば、携帯電話機ＭＰや表示制御装置ＣＶ）で再生する場合の動作を、図１５のシーケンス図を参照して説明する。
【００７３】
携帯電話機ＭＰからセンタ装置ＳＶに対して画像モニタの要求メッセージが送信されると（１）、センタ装置ＳＶは、インターホンシステムＳＳ３の画像転送コントローラＣ３からポーリングされたときに（２）、当該要求メッセージを画像転送コントローラＣ３に送信する（３）。この画像モニタ要求メッセージを受け取った画像転送コントローラＣ３では、画像転送コントローラ制御部４０がインターホン親機ＩＭの画像モニタ機能を有効に設定するための制御信号を通信部４２より送信し（４）、この制御信号を受け取ることでインターホン親機ＩＭの画像モニタ機能が有効になる（５）。すると、インターホン親機ＩＭは、通話線を介して電源を供給することでドアホン子器ＤＳの画像伝送機能を有効とし、ドアホン子器ＤＳのカメラで撮像された画像を受け取るとともに当該画像データを画像転送コントローラＣ３に伝送する（６）。画像転送コントローラＣ３においては、インターホン親機ＩＭから受け取った画像データを画像転送コントローラ制御部４０にて圧縮処理し（７）、圧縮した画像データを応答メッセージとして宅内ネットワーク及び外部ネットワークを通じてセンタ装置ＳＶに転送する（８）。そして、センタ装置ＳＶが転送されてきた画像データを携帯電話機ＭＰに送信し（９）、その結果、ドアホン子器ＤＳで撮像された画像を携帯電話機ＭＰで再生して確認することができる。
【００７４】
また、インターホンシステムＳＳ３のホームページには、インターホン親機ＩＭの画像モニタ機能を有効に設定するためのアイコンが用意されており、表示制御装置ＣＶの操作部５３において当該アイコンの操作が受付されると、マイコン部５０がＬＡＮインタフェース部５１を通じて画像モニタ要求メッセージを画像転送コントローラＣ３に送信する（１０）。この画像モニタ要求メッセージを受け取った画像転送コントローラＣ３では、画像転送コントローラ制御部４０がインターホン親機ＩＭの画像モニタ機能を有効に設定するための制御信号を通信部４２より送信し（１１）、この制御信号を受け取ることでインターホン親機ＩＭの画像モニタ機能が有効になる（１２）。すると、インターホン親機ＩＭは、通話線を介して電源を供給することでドアホン子器ＤＳの画像伝送機能を有効とし、ドアホン子器ＤＳのカメラで撮像された画像を受け取るとともに当該画像データを画像転送コントローラＣ３に伝送する（１３）。画像転送コントローラＣ３においては、インターホン親機ＩＭから受け取った画像データを画像転送コントローラ制御部４０にて圧縮処理し（１４）、圧縮した画像データを応答メッセージとして表示制御装置ＣＶに転送する（１５）。そして、表示制御部ＣＶでは、受け取った画像データをマイコン部５０で伸長処理して表示部５２に出力することでドアホン子器ＤＳで撮像された画像が表示部５２の液晶ディスプレイ５２ａに表示される。
【００７５】
ところで、一般に外出する際はエアコンや照明器具の電源を切るとともにセキュリティ受信器ＳＲを警戒状態に切り換え、あるいは、就寝する際は照明器具の電源を切るとともにセキュリティ受信器ＳＲを警戒状態に切り換えるというように、特定の状況においては複数の決まった制御が同時に行われる場合が多いが、このような場合に表示制御装置ＣＶの操作部５３（タッチパネル）で一つ一つの制御に対する操作を入力するのは非常に煩わしい作業である。
【００７６】
そこで本実施形態では、統合管理装置ＴＭが提供するポータルサイトの画面に外出、在宅、就寝という３種類の状況に対応したシンボル（例えば、「外出」，「在宅」，「就寝」と表示されたボタン）を表示させ、表示制御装置ＣＶの操作部５３において前記ボタン（以下、「一括ボタン」と呼ぶ。）の何れかの選択操作が受け付けられたときに、それぞれの状況に対して予め対応付けられている１乃至複数の制御要求メッセージ、例えば、「外出」の一括ボタンが操作された場合であれば、設備機器コントローラＣ１に対してエアコンと全ての照明器具をオフ（電源切並びに消灯）するように指示する制御要求メッセージと、セキュリティコントローラＣ２に対してセキュリティ受信器ＳＲを警戒状態に切り換えるように指示する制御要求メッセージとを表示制御装置ＣＶのマイコン部５０で作成し、作成した２種類の制御要求メッセージを設備機器コントローラＣ１とセキュリティコントローラＣ２に対してＬＡＮインタフェース部５１を介して各々送信する。なお、操作部５３で「外出」の一括ボタンの操作を受け付けると、マイコン部５０は「外出モードを受け付けました。」等の文字を表示部５２の液晶ディスプレイに表示する。
【００７７】
一方、設備機器コントローラＣ１では、表示制御装置ＣＶから受け取った制御要求メッセージに応じてエアコンと全ての照明器具をオフする制御を行い、また、セキュリティコントローラＣ２では、表示制御装置ＣＶから受け取った制御要求メッセージに応じてセキュリティ受信器ＳＲの動作状態を警戒状態に切り換える制御を行う。つまり、外出する際に表示制御装置ＣＶの操作部５３において「外出」の一括ボタンのみを操作するだけで、エアコンと全ての照明器具をオフするとともにセキュリティ受信器ＳＲを警戒状態に切り換えることができるから、表示制御装置ＣＶの操作部５３で一つ一つの制御に対する操作を入力する場合に比較して作業効率が高く且つ操作性も向上するという利点がある。
【００７８】
ところで、サブシステムＳＳｎのコントローラＣｎから表示制御装置ＣＶに送信されるメッセージのうちで、コントローラＣｎから表示制御装置ＣＶに対して正常でないイベント（例えば、制御要求の通りに設備機器Ｘｍの動作状態が切り換えられないエラーや、セキュリティ機器Ｙ１，Ｙ２による異常発生検知など）が発生したことを知らせるためのメッセージ（例えば、上述の連携メッセージ）については、表示部５２の液晶ディスプレイ５２ａで既に表示されている画面から切り換えて当該メッセージの内容を表示する必要がある場合と、切り換えて表示する必要のない場合とがある。例えば、既に説明したようにセキュリティ機器Ｙ１で火災発生が検知されてセキュリティコントローラＣ２から連携メッセージが送信される場合であれば、どのような画面が表示されていても火災発生の警報を知らせるための画面（ウェブぺージ）に最優先で切り換える必要があるが、かかる火災発生警報の画面が表示されているときに設備機器Ｘｍの制御エラーを報知するメッセージを受信した場合、当該エラー報知の画面に切り換えて表示する必要はない。すなわち、上述のように正常でないイベントの発生を報知するためのウェブページには優先度が有り、優先度が同等若しくは優先度が高いイベントのウェブページを表示部５２の液晶ディスプレイ５２ａに表示することが必要となる。
【００７９】
そこで本実施形態では、上述のように正常でないイベントの内容に応じて優先度を設定し、各コントローラＣｎから前記イベントの発生を知らせるためのメッセージに、当該イベントに設定されている優先度と、当該イベントに対する監視結果を表示するためのウェブページの保存場所（ＵＲＬ）とを含めて表示制御装置ＣＶに送信し、優先度判定手段たる表示制御装置ＣＶのマイコン部５０が、前記メッセージに含まれる優先度と液晶ディスプレイ５２ａに表示中のウェブページに対応するイベントの内容に応じた優先度とを比較するとともに前者の優先度が後者の優先度より高い場合にＬＡＮインタフェース部５１を介して前記ウェブページの送信要求を当該コントローラＣｎに送信するようにしている。
【００８０】
本実施形態においては、優先度１：セキュリティシステムＣ２における火災発生検知、優先度２：セキュリティシステムＣ２におけるガス漏れ検知、優先度３：セキュリティシステムＣ２における侵入者検知、優先度４：一括ボタンの操作に対するセキュリティ機器Ｙ２の異常検知、優先度５：一括ボタンの操作に対する設備機器Ｘｍの動作異常、優先度６：セキュリティ機器Ｙ２による検知、優先度７：統合管理装置ＴＭにおける通信の制限、優先度８：センタ装置ＳＶからの通知、優先度９：コントローラＣｎからのメンテナンス情報の通知、優先度１０：設備監視制御システムＣ１によるデマンド制御の実行、という１０段階の優先度（優先度１が最も高く、優先度１０が最も低い）を設定し、統合管理装置ＴＭ、コントローラＣｎ、表示制御装置ＣＶ、センタ装置ＳＶに各々記憶させている。なお、優先度１〜３のイベントについては、それぞれセキュリティ受信器ＳＲで復旧操作が行われてセキュリティコントローラＣ２から復旧信号が送信されたときにマイコン部５０がウェブページの開示を終了し、優先度４〜１０のイベントについては、表示制御装置ＣＶの操作部５３で所定の復帰操作が行われたときにマイコン部５０がウェブページの開示を終了する。また、優先度１〜３のイベントに対してはウェブページとともに警報音の鳴動指示のメッセージが表示制御装置ＣＶに送信され、優先度４〜６，８〜１０のイベントに対してはウェブページとともに報知音の鳴動指示のメッセージが表示制御装置ＣＶに送信される。さらに、本実施形態では表示部５２の液晶ディスプレイ５２ａに透過型のものを用いており、通常、一定時間（以下、「自動消灯待機時間」と呼ぶ。）が経過したらマイコン部５０によりバックライトを消灯するようになっている。
【００８１】
ここで、優先度２〜１０のイベントについては、優先度判定手段（マイコン部５０）の判定結果によってはウェブページが液晶ディスプレイ５２ａに表示されない場合があるので、イベントの発生を知らせるためのメッセージとともに各コントローラＣｎから送信されるイベントの履歴情報（例えば、当該イベントの発生日時、サブシステムＣｎの名称、イベントの名称などを示すテキストデータ）を表示制御装置ＣＶで記憶しておき、操作部５３にて所定の操作入力が受け付けられたときに当該履歴情報を液晶ディスプレイ５２ａに表示するようになっている。
【００８２】
次に、上述のようなイベントが発生したことを知らせるためのメッセージを受信した場合における表示制御装置ＣＶの動作を、図１６並びに図１７のフローチャートを参照して説明する。
【００８３】
マイコン部５０は、イベント発生のメッセージの受信待ちをしており（図１６のステップ１）、コントローラＣｎ等から当該メッセージを受信すると、当該メッセージに含まれる履歴情報のテキストデータをメモリ部５４に記憶し（図１６のステップ２）、さらに受信したメッセージに含まれる優先度と表示部５２の液晶ディスプレイ５２ａに現在表示中のウェブページ（イベント）における優先度とを比較する（図１６のステップ３）。そして、受信したメッセージに含まれる優先度が現在表示中のウェブページ（イベント）における優先度よりも低くなければ、マイコン部５０はウェブページの切換処理を実行する（図１６のステップ４）。また、受信したメッセージに含まれる優先度が現在表示中のウェブページ（イベント）における優先度よりも低い場合は何もせずにイベント発生のメッセージの受信待ち状態に戻る（図１６のステップ１）。
【００８４】
続いて、ウェブページの切換処理について説明する。受信したメッセージの優先度が（１）〜（３）の何れかであれば（図１７のステップ１）、マイコン部５０は、自動消灯待機時間の限時を停止し（図１７のステップ２）、当該メッセージにウェブページの保存場所（ＵＲＬ）が含まれるか否かを調べ（図１７のステップ３）、ＵＲＬが有れば、ウェブブラウザによって当該ＵＲＬから取得したウェブページを表示部５２の液晶ディスプレイ５２ａに表示する（図１７のステップ３）。さらに、マイコン部５０では当該ウェブページに警報音又は報知音の鳴動指示が含まれるか否かを調べ（図１７のステップ５）、鳴動指示が有れば、イベントの内容に応じた警報音をスピーカ部５５から鳴動する（図１７のステップ６）。ここで、例えばセキュリティコントローラＣ２では、火災感知器で火災発生が検知された後にセキュリティ受信器ＳＲで復旧操作が行われたときに復旧信号を送信するが、この復旧信号は火災発生のイベント発生時に送信されるメッセージからウェブページのＵＲＬと警報音の鳴動指示を除いたメッセージからなる。従って、受信したメッセージにウェブページの保存場所（ＵＲＬ）が含まれていなければ（図１７のステップ３）、あるいは、警報音又は報知音の鳴動指示が含まれていなければ（図１７のステップ５）、マイコン部５０は当該メッセージが復旧信号であると判断し、警報音を停止して自動消灯待機時間の限時を開始（図１７のステップ７）した後にウェブページの切換処理を終了してメインルーチンに戻る。
【００８５】
一方、受信したメッセージの優先度が（４）又は（５）の何れかである場合（図１７のステップ８）、受信したメッセージは一括ボタンの操作に伴って発生したイベントに関するものであると判断できる。ここで、宅内ネットワークに複数の表示制御装置ＣＶが含まれる場合があり、一括ボタンが操作されて制御要求メッセージを送信した表示制御装置ＣＶを除く他の表示制御装置ＣＶでは当該メッセージを受信してウェブページの切換処理を行う必要はない。故に、優先度が（４）又は（５）の何れかであった場合、マイコン部５０は、制御要求メッセージを送信したコントローラＣｎからの応答メッセージの返信を待っている待ち期間であれば（図１７のステップ９）、当該メッセージが自己に宛てられたものであるからステップ３の処理を実行し、前記待ち期間でなければ、当該メッセージが他の表示制御装置ＣＶに宛てられたものであるからウェブページの切換処理を終了してメインルーチンに戻る。
【００８６】
また、受信したメッセージの優先度が（６）〜（１０）の何れかである場合（図１７のステップ１０）、マイコン部５０はステップ３の処理を実行し、優先度が（６）〜（１０）の何れでもなければ、液晶ディスプレイ５２ａのバックライトが点灯中（自動消灯待機時間の限時中）か否かを判断する（図１７のステップ１１）。そして、バックライトが点灯中（自動消灯待機時間の限時中）であれば、マイコン部５０はウェブページの切換処理を終了してメインルーチンに戻るが、バックライトが消灯していればステップ３の処理を実行する。
【００８７】
而して、上述のように本実施形態によれば、表示制御装置ＣＶの優先度判定手段（マイコン部５０）において、コントローラＣｎから送信されたメッセージに含まれる優先度と表示制御装置ＣＶで表示中のウェブページに対応するイベントの内容に応じた優先度とを比較するとともに前者の優先度が後者の優先度より高い場合に前記ウェブページをコントローラＣｎから送信して液晶ディスプレイ５２ａに表示するので、それぞれのイベントに対応したウェブページが各サブシステムＳＳｎのコントローラＣｎに保持されることで表示制御装置ＣＶにおける処理負荷が軽減でき、しかも、監視対象に新たな住宅設備を追加する際（あるいは、サブシステムを追加する際）には追加する住宅設備に対応したウェブページをサブシステムＳＳｎのコントローラＣｎに保持すればよいから、従来例のようにウェブページの切換ルールを更新するよりも作業負担が減らせるという利点がある。
【００８８】
ここで、後から受信したメッセージの優先度が先に受信したメッセージの優先度より低い場合、マイコン部５０では優先度の高いメッセージに対応したウェブページを液晶ディスプレイ５２ａに表示させるとともに、図示しないＬＥＤを発光させて他のメッセージを受信したことを報知するようになっており、優先度の関係で表示されなかったイベントの情報（履歴情報）を液晶ディスプレイ５２ａに表示させるように使用者（家人）に注意を促すことができる。またマイコン部５０においては、上述のような履歴情報を液晶ディスプレイ５２ａに表示する際、使用者が操作部５３を操作することで選択された項目（イベントの発生日時、サブシステムＣｎの名称、イベントの名称など）毎に並べ替えて一覧表示するようになっており、過去から現在までのイベントの発生状況が容易且つ多角的に把握できる。
【００８９】
ところで、イベントの発生を知らせるためのメッセージとともにイベントの履歴情報を各コントローラＣｎから表示制御装置ＣＶに送信する代わりに、イベントの履歴情報を保存した保存場所（ＵＲＬ）をメッセージに含めて各コントローラＣｎから表示制御装置ＣＶに送信しても構わない。そして、表示制御装置ＣＶでは、保存場所に保存されている履歴情報を各コントローラＣｎから受信し、図１８に示すようにそれら複数の履歴情報（例えば、テキストデータ）Ｆ１，Ｆ２，Ｆ３を液晶ディスプレイ５２ａの画面Ｗに一覧表示する。このようにイベントの履歴情報を保存した保存場所（ＵＲＬ）をメッセージに含めて各コントローラＣｎから表示制御装置ＣＶに送信するようにすれば、上述のように履歴情報を送信する構成と比較して、イベントの履歴情報を表示する表示形式が各コントローラＣｎ側で自由に設定でき、例えば、図１８に示すようにセンタ装置ＳＶから新しいアップデートプログラムがリリースされていること（履歴情報Ｆ２）が通知されたときに他のイベントの履歴情報Ｆ１，Ｆ３とレイアウトを変更して表示することができる。
【図面の簡単な説明】
【００９０】
【図１】本実施形態における表示制御装置のブロック図である。
【図２】同上の外観正面図である。
【図３】同上のシステム構成図である。
【図４】同上における統合管理装置のブロック図である。
【図５】同上における設備機器コントローラのブロック図である。
【図６】同上における電流計測装置のブロック図である。
【図７】同上におけるセキュリティコントローラのブロック図である。
【図８】同上における画像転送コントローラのブロック図である。
【図９】同上における動作説明用のシーケンス図である。
【図１０】同上における動作説明用のシーケンス図である。
【図１１】同上における動作説明用のシーケンス図である。
【図１２】同上における動作説明用のシーケンス図である。
【図１３】同上における動作説明用のシーケンス図である。
【図１４】同上における動作説明用のシーケンス図である。
【図１５】同上における動作説明用のシーケンス図である。
【図１６】同上の優先度判定に応じたウェブページ更新の手順を説明するためのフローチャートである。
【図１７】同上の優先度判定に応じたウェブページ更新の手順を説明するためのフローチャートである。
【図１８】同上の履歴情報を一覧表示した画面の説明図である。
【符号の説明】
【００９１】
ＣＶ  表示制御装置
５０  マイコン部
５１  ＬＡＮインタフェース部
５２  表示部
５２ａ  液晶ディスプレイ
５３  操作部
５４  メモリ部
５５  スピーカ部
【図１】
2007272863.tif 000003
【図２】
2007272863.tif 000004
【図３】
2007272863.tif 000005
【図４】
2007272863.tif 000006
【図５】
2007272863.tif 000007
【図６】
2007272863.tif 000008
【図７】
2007272863.tif 000009
【図８】
2007272863.tif 000010
【図９】
2007272863.tif 000011
【図１０】
2007272863.tif 000012
【図１１】
2007272863.tif 000013
【図１２】
2007272863.tif 000014
【図１３】
2007272863.tif 000015
【図１４】
2007272863.tif 000016
【図１５】
2007272863.tif 000017
【図１６】
2007272863.tif 000018
【図１７】
2007272863.tif 000019
【図１８】
2007272863.tif 000020